(57)【特許請求の範囲】
【請求項１】
供給源から直接供給される直接燃料、または、供給源から供給される改質用原料が改質され生成された改質燃料と、酸化剤ガスとにより発電する燃料電池と、
前記燃料電池からの未使用の前記各燃料を含む可燃性ガスを導入し前記酸化剤ガスで燃焼して燃焼ガスを導出する第一燃焼部と、
前記第一燃焼部から排気される未使用の可燃性ガスを導入し燃焼して導出する第二燃焼部と、
通電されることにより前記第一燃焼部を点火する第一点火装置と、
前記直接燃料または前記改質用原料である原燃料を供給する原燃料供給装置と、
前記燃料電池の温度である燃料電池温度を検出する第一温度センサと、
前記第二燃焼部の温度である第二燃焼部温度を検出する第二温度センサと、
前記酸化剤ガスを前記第一燃焼部に供給する酸化剤ガス供給装置と、
前記酸化剤ガス供給装置および前記原燃料供給装置を少なくとも制御する制御装置と、を備えた燃料電池システムであって、
前記制御装置は、前記第一温度センサによって検出された前記燃料電池温度および前記第二温度センサによって検出された前記第二燃焼部温度から、全体的または部分的に吹き消えている前記第一燃焼部の燃焼復帰を行う燃焼復帰制御が必要であるか否かを判定する判定部と、
前記判定部によって前記燃焼復帰制御が必要であると判定された場合に、前記原燃料供給装置を制御して前記原燃料の供給量を増大させる原燃料増大制御部と、
前記原燃料増大制御部による前記原燃料の供給量の増大によっても、前記第一燃焼部が燃焼復帰しない場合に、前記原燃料増大制御部による前記原燃料の供給量の増大に加えて、前記第一点火装置を作動させる点火装置第一作動部と、
前記点火装置第一作動部による前記原燃料の供給量の増大および前記第一点火装置の点火によっても、前記第一燃焼部が燃焼復帰しない場合に、前記酸化剤ガス供給装置を制御して前記第一燃焼部への前記酸化剤ガスの供給量を増大させる酸化剤ガス増大制御部と、
を備えている燃料電池システム。
【請求項２】
前記判定部は、前記第二温度センサによって検出された前記第二燃焼部温度が第二燃焼部温度用第一判定温度以上である場合に、または、前記第二温度センサによって検出された前記第二燃焼部温度が前記第二燃焼部温度用第一判定温度より低い第二燃焼部温度用第二判定温度以上でありかつ前記第二燃焼部温度用第一判定温度未満であり、かつ、前記第一温度センサによって検出された前記燃料電池温度が燃料電池温度用判定温度未満である場合に、前記燃焼復帰制御が必要である旨の判定をする請求項１記載の燃料電池システム。
【請求項３】
前記第二燃焼部温度用第一判定温度および前記第二燃焼部温度用第二判定温度は、前記燃料電池システムの環境温度に応じて補正されている請求項２記載の燃料電池システム。
【請求項４】
前記第二燃焼部温度用第一判定温度および前記第二燃焼部温度用第二判定温度は、前記燃料電池の出力電力量に応じて補正されている請求項２記載の燃料電池システム。
【請求項５】
前記制御装置は、前記酸化剤ガス増大制御部による前記酸化剤ガスの供給量の増大によっても、前記第一燃焼部が燃焼復帰しない場合に、前記酸化剤ガス増大制御部による前記酸化剤ガスの供給量の増大に加えて、前記第一点火装置を作動させる点火装置第二作動部を、さらに備えている請求項１記載の燃料電池システム。
【請求項６】
前記燃料電池システムは、前記燃料電池から出力される直流電圧を交流電圧に変換するインバータ装置を、さらに備え、
前記制御装置は、前記点火装置第二作動部による前記酸化剤ガスの供給量の増大および前記第一点火装置の点火によっても、前記第一燃焼部が燃焼復帰しない場合に、前記原燃料供給装置、前記酸化剤ガス供給装置および前記インバータ装置を制御して、前記燃料電池の出力電力を変更する出力電力変更部を、さらに備えている請求項５記載の燃料電池システム。
【請求項７】
前記出力電力変更部は、出力電力を所定量だけ変更する請求項６記載の燃料電池システム。
【発明の詳細な説明】
【技術分野】
【０００１】
本発明は、燃料電池システムに関する。
【背景技術】
【０００２】
燃料電池システムの一形式として、特許文献１に示されているものが知られている。特許文献１に示されているように、燃料電池システムは、負荷が上昇し、上昇した負荷に対応した発電を行なっている際に、燃料電池の電圧が低下した場合において、燃料供給手段によって燃料電池に供給される燃料ガスの流量を所定の流量以上に増加するように制御するとともに、燃焼促進手段（オフガスに着火する着火装置である）を動作させる制御を行う制御手段と、を備えている。
【０００３】
燃料電池システムの他の一形式として、特許文献２に示されているものが知られている。特許文献２に示されているように、燃料電池システムにおいて、制御装置は、処理済み排ガス温度センサが測定する処理済み排ガスの温度が所定温度以上となった場合に、着火装置を作動させている。
【０００４】
燃料電池システムの他の一形式として、特許文献３に示されているものが知られている。特許文献３に示されているように、燃料電池システムにおいて、制御装置は、固体酸化物形燃料電池セルの発電量が一定の状態から増加した場合において、燃料電池モジュール内の温度が所定の温度よりも低くなったことをモジュール内温度センサによって検出すると、着火装置を作動させている。
【先行技術文献】
【特許文献】
【０００５】
【特許文献１】特許第５８０９８４１号公報
【特許文献２】特許第５２５３１３４号公報
【特許文献３】特許第５４０８９９４号公報
【発明の概要】
【発明が解決しようとする課題】
【０００６】
上述した特許文献１に記載されている燃料電池システムにおいては、燃料増量運転をする際に、失火（吹き消え）を抑制するために、着火装置を動作させているものの、その制御の条件として、負荷が上昇し、上昇した負荷に対応した発電を行なっている際に、燃料電池の電圧が低下したことを条件としている。その結果、燃焼部の吹き消えの有無にかかわらず、着火装置を動作させるため、さらなる省エネが要請されている。
【０００７】
また、上述した特許文献２および特許文献３に記載されている燃料電池システムにおいては、着火装置を作動させても、燃焼部の燃焼を正常に戻すことができないおそれがある。
【０００８】
本発明は、上述した問題を解消するためになされたもので、燃料電池システムにおいて、第一燃焼部の燃焼性を高効率にて担保することを目的とする。
【課題を解決するための手段】
【０００９】
上記の課題を解決するため、請求項１に係る燃料電池システムは、供給源から直接供給される直接燃料、または、供給源から供給される改質用原料が改質され生成された改質燃料と、酸化剤ガスとにより発電する燃料電池と、燃料電池からの未使用の各燃料を含む可燃性ガスを導入し酸化剤ガスで燃焼して燃焼ガスを導出する第一燃焼部と、第一燃焼部から排気される未使用の可燃性ガスを導入し燃焼して導出する第二燃焼部と、通電されることにより第一燃焼部を点火する第一点火装置と、直接燃料または改質用原料である原燃料を供給する原燃料供給装置と、燃料電池の温度である燃料電池温度を検出する第一温度センサと、第二燃焼部の温度である第二燃焼部温度を検出する第二温度センサと、酸化剤ガスを前記第一燃焼部に供給する酸化剤ガス供給装置と、酸化剤ガス供給装置および原燃料供給装置を少なくとも制御する制御装置と、を備えた燃料電池システムであって、制御装置は、第一温度センサによって検出された燃料電池温度および第二温度センサによって検出された第二燃焼部温度から、全体的または部分的に吹き消えている第一燃焼部の燃焼復帰を行う燃焼復帰制御が必要であるか否かを判定する判定部と、判定部によって燃焼復帰制御が必要であると判定された場合に、原燃料供給装置を制御して原燃料の供給量を増大させる原燃料増大制御部と、原燃料増大制御部による原燃料の供給量の増大によっても、第一燃焼部が燃焼復帰しない場合に、原燃料増大制御部による原燃料の供給量の増大に加えて、第一点火装置を作動させる点火装置第一作動部と、点火装置第一作動部による原燃料の供給量の増大および第一点火装置の点火によっても、第一燃焼部が燃焼復帰しない場合に、酸化剤ガス供給装置を制御して第一燃焼部への酸化剤ガスの供給量を増大させる酸化剤ガス増大制御部と、を備えている。
【発明の効果】
【００１０】
これによれば、判定部が、第一温度センサによって検出された燃料電池温度および第二温度センサによって検出された第二燃焼部温度から、全体的または部分的に吹き消えている第一燃焼部の燃焼復帰を行う燃焼復帰制御が必要であるか否かを判定する。原燃料増大制御部が、判定部によって燃焼復帰制御が必要であると判定された場合に、原燃料供給装置を制御して原燃料の供給量を増大させる。その結果、第一燃焼部の燃焼復帰制御が必要であるときに、第一燃焼部に原燃料を適切に増大して供給することができ、第一燃焼部の燃焼復帰を確実に行うことができる。よって、第一燃焼部の燃焼性を高効率にて担保することができる。
【図面の簡単な説明】
【００１１】
【図１】本発明による燃料電池システムの一実施形態の概要を示す概要図である。
【図２】図１に示す燃料電池システムを示すブロック図である。
【図３】図２に示す制御装置で実行される制御プログラムのフローチャートである。
【図４】燃料電池温度と第二燃焼部温度との組合せから第一燃焼部の燃焼復帰制御の要否判定をする表である。
【図５】第二燃焼部温度用第一判定温度（第二燃焼部温度用第二判定温度）と環境温度との関係を示す図である。
【図６】第二燃焼部温度用第一判定温度（第二燃焼部温度用第二判定温度）と燃料電池の出力電力量との関係を示す図である。
【図７】燃料電池の出力電力量を変更する際の所定量を燃焼復帰制御が必要であると判定した時点の燃料電池の出力電力量に応じて設定する旨の説明をする図である。
【発明を実施するための形態】
【００１２】
以下、本発明による燃料電池システム１の一実施形態について説明する。燃料電池システム１は、図１に示すように、発電ユニット１０および貯湯槽２１を備えている。発電ユニット１０は、筐体１０ａ、燃料電池モジュール１１（３０）、熱交換器１２、インバータ装置１３、水タンク１４、および制御装置１５を備えている。燃料電池モジュール１１（３０）、熱交換器１２、インバータ装置１３、水タンク１４、および制御装置１５は、筐体１０ａ内に収容されている。
【００１３】
燃料電池モジュール１１は、後述するように燃料電池３４を少なくとも含んで構成されるものである。燃料電池モジュール１１は、改質用原料、改質水およびカソードエアが供給されている。具体的には、燃料電池モジュール１１は、一端が供給源Ｇｓに接続されて改質用原料が供給される改質用原料供給管１１ａの他端が接続されている。改質用原料供給管１１ａは、原料ポンプ１１ａ１が設けられている。原料ポンプ１１ａ１は、後述する直接燃料または改質用原料である原燃料を供給する原燃料供給装置である。さらに、燃料電池モジュール１１は、一端が水タンク１４に接続されて改質水が供給される水供給管１１ｂの他端が接続されている。水供給管１１ｂは、改質水ポンプ１１ｂ１が設けられている。さらに、燃料電池モジュール１１は、一端がカソードエアブロワ１１ｃ１に接続されてカソードエアが供給されるカソードエア供給管１１ｃの他端が接続されている。カソードエアブロワ１１ｃ１は、酸化剤ガスであるカソードエアを後述する第一燃焼部３６に供給する酸化剤ガス供給装置である。
【００１４】
熱交換器１２は、燃料電池モジュール１１から排気される燃焼排ガスが供給されるとともに貯湯槽２１からの貯湯水が供給され、燃焼排ガス（燃料電池３４および改質部３３の各排熱を含んでいる）と貯湯水との間で熱交換が行われる熱交換器である。また、熱交換器１２は、燃焼排ガスと貯湯水との間で熱交換が行われ、燃焼排ガスに含まれている水蒸気を凝縮して凝縮水を生成する。貯湯水は、燃焼排ガスの排熱を回収する熱媒体（排熱回収水）である。
【００１５】
熱交換器１２は、ケーシング１２ｂを備えている。ケーシング１２ｂの上部には、燃料電池モジュール１１からの排気管１１ｄが接続されている。ケーシング１２ｂの下部には、外部（大気）に接続されている排気管１１ｅが接続されている。ケーシング１２ｂの底部には、水タンク１４に接続されている凝縮水供給管１２ａが接続されている。ケーシング１２ｂ内には、燃焼排ガスが通過する燃焼排ガス流路が形成されている。この燃焼排ガス流路に、貯湯水循環ライン２２に接続されている熱交換部（凝縮部）１２ｃが配設されている。熱交換部１２ｃ内には、貯湯水が流れ、熱交換部１２ｃの外側には、燃焼排ガスが流れている。なお、貯湯水と燃焼排ガスとは互いに反対向きに流れるように構成されるのが好ましい。
【００１６】
このように構成された熱交換器１２においては、燃料電池モジュール１１からの燃焼排ガスは、排気管１１ｄを通ってケーシング１２ｂ内に導入され、貯湯水が流通する熱交換部１２ｃを通る際に貯湯水との間で熱交換が行われ凝縮されるとともに冷却される。その後、燃焼排ガスは排気管１１ｅを通って外部に排出される。また、凝縮された凝縮水は、凝縮水供給管１２ａを通って水タンク１４に供給される（自重で落水する）。一方、熱交換部１２ｃに流入した貯湯水は、加熱されて流出される。
【００１７】
熱交換器１２の燃焼排ガス導入部、すなわちケーシング３１の導出口３１ａには、第二燃焼部３９が設けられている。第二燃焼部３９は、第一燃焼部３６から排気されるガスである第一燃焼部オフガス、すなわち、第一燃焼部３６から排気される未使用の可燃性ガス（例えば、水素、メタンガス、一酸化炭素など）を導入し燃焼して導出するものである。第二燃焼部３９は、可燃性ガスを燃焼する触媒である燃焼触媒で構成されている。燃焼触媒は、例えばプラチナやパラジウムなどの貴金属がセラミックの担体などに担持させたものである。燃焼触媒は、ペレット状のものを充填しても良いし、セラミック・メタルのハニカムや発泡金属の上に担持させたような形態のものでも良い。
【００１８】
第二燃焼部３９には、燃焼触媒を触媒の活性温度まで加熱して可燃性ガスを燃焼させるための燃焼触媒ヒータ３９ａが設けられている。燃焼触媒ヒータ３９ａは、制御装置１５からの指令によって加熱されるものである。燃焼触媒ヒータ３９ａは、通電されることにより第二燃焼部３９を点火する第二点火装置である。
【００１９】
燃焼排ガスの熱交換器１２の入口、即ち燃焼触媒ヒータ３９ａ（第二燃焼部３９）の直下流には、温度センサ１２ｄが設けられている。温度センサ１２ｄは、燃焼排ガスの熱交換器１２の入口温度を検出するものであり、その検出結果を制御装置１５に送信するようになっている。燃焼排ガスの熱交換器１２の入口温度は、第二燃焼部３９の温度と相関がありほぼ等しい。温度センサ１２ｄは、第二燃焼部３９の温度である第二燃焼部温度を検出する第二温度センサである。温度センサ１２ｄは、燃焼排ガス流路のうち燃焼排ガスの導入口付近（排気管１１ｄとの接続付近）に設けられるのが好ましい。なお、温度センサ１２ｄは、排気管１１ｄに設けるようにしてもよい。
【００２０】
上述した熱交換器１２、貯湯槽２１および貯湯水循環ライン２２から、排熱回収システム２０が構成されている。排熱回収システム２０は、燃料電池モジュール１１の排熱を貯湯水に回収して蓄える。
【００２１】
貯湯槽２１は、貯湯水を貯湯するものであり、貯湯水が循環する（図にて矢印の方向に循環する）貯湯水循環ライン２２が接続されている。  貯湯槽２１は、密封式の容器である。貯湯槽２１は、耐圧式の容器である。貯湯槽２１内の温度分布は、基本的には、温度の異なる二層に分かれている。上層は比較的温度が高い層（例えば５０度以上）であり、下層は比較的温度が低い層（例えば２０度以下（水道水の温度））である。上下各層は、それぞれほぼ同一温度である。
【００２２】
貯湯水循環ライン２２上には、貯湯水循環ポンプ２２ａ、および熱交換器１２が配設されている。貯湯水循環ポンプ２２ａは、貯湯水循環ライン２２の熱媒体（貯湯水）を送出して図示矢印方向へ循環させる送出装置であり、制御装置１５によって制御されてその吐出量（送出量）が制御されるようになっている。
【００２３】
インバータ装置１３は、燃料電池３４から出力される直流電圧（直流電力）を入力し所定の交流電圧（交流電力）に変換して、交流の系統電源１６ａおよび外部電力負荷１６ｃ（例えば電化製品）に接続されている電源ライン１６ｂに出力する。また、インバータ装置１３は、系統電源１６ａからの交流電圧を電源ライン１６ｂを介して入力し所定の直流電圧に変換して補機（各ポンプ、ブロワなど）や制御装置１５に出力する。インバータ装置１３は、燃料電池３４からの掃引電流を増減させることができる。例えば、改質ガスの投入量が一定である場合に、掃引電流を減少させてアノードオフガスの量を増大させることが可能である。
【００２４】
水タンク１４は、熱交換器１２から供給される凝縮水を貯水し、改質部３３に改質水として供給するものである。水タンク１４内には、水タンク１４内の水位（水量）を検出する水位センサ１４ａが配設されている。水位センサ１４ａの検出結果は、制御装置１５に出力されるようになっている。水位センサ１４ａは、例えば、フロート式のセンサであり、フロートの上下量を可変抵抗（ポテンショメータ）により抵抗値に変換し、抵抗値の上下動によって水位（残水量）を表示する方式のセンサである。なお、水タンク１４は、凝縮水をイオン交換樹脂によって純水化するようになっている。
なお、制御装置１５は、補機を駆動して燃料電池システム１の運転を制御する。
【００２５】
燃料電池モジュール１１（３０）は、ケーシング３１、蒸発部３２、改質部３３および燃料電池３４を備えている。ケーシング３１は、断熱性材料で箱状に形成されている。
蒸発部３２は、後述する燃焼ガスにより加熱されて、供給された改質水を蒸発させて水蒸気を生成するとともに、供給された改質用原料を予熱するものである。蒸発部３２は、このように生成された水蒸気と予熱された改質用原料を混合して改質部３３に供給するものである。改質用原料としては天然ガス（メタンガスを主成分とする）、ＬＰガスなどの改質用気体燃料、灯油、ガソリン、メタノールなどの改質用液体燃料があり、本実施形態においては天然ガスにて説明する。
【００２６】
蒸発部３２には、一端（下端）が水タンク１４に接続された水供給管１１ｂの他端が接続されている。また、蒸発部３２には、一端が供給源Ｇｓに接続された改質用原料供給管１１ａが接続されている。供給源Ｇｓは、例えば都市ガスのガス供給管、ＬＰガスのガスボンベである。
【００２７】
改質部３３は、上述した燃焼ガスにより加熱されて水蒸気改質反応に必要な熱が供給されることで、蒸発部３２から供給された混合ガス（改質用原料、水蒸気）から改質ガスを生成して導出するものである。改質部３３内には、触媒（例えば、ＲｕまたはＮｉ系の触媒）が充填されており、混合ガスが触媒によって反応し改質されて水素ガスと一酸化炭素などを含んだガスが生成されている（いわゆる水蒸気改質反応）。改質ガスは、水素、一酸化炭素、二酸化炭素、水蒸気、未改質の天然ガス（メタンガス）、改質に使用されなかった改質水（水蒸気）を含んでいる。このように、改質部３３は改質用原料（原燃料）と改質水とから改質ガス（改質燃料）を生成して燃料電池３４に供給する。なお、水蒸気改質反応は吸熱反応である。
【００２８】
燃料電池３４は、燃料極、空気極（酸化剤極）、および両極の間に介装された電解質からなる複数のセル３４ａが積層されて構成されている。本実施形態の燃料電池は、固体酸化物形燃料電池であり、電解質として固体酸化物の一種である酸化ジルコニウムを使用している。燃料電池３４の燃料極には、燃料として水素、一酸化炭素、メタンガスなどが供給される。動作温度は４００〜１０００℃程度である。水素だけではなく天然ガスや石炭ガスなども直接燃料（供給源Ｇｓから燃料極に直接供給される燃料である）として用いることが可能である。この場合、改質部２３は省略することができる。
【００２９】
セル３４ａの燃料極側には、燃料である改質ガスが流通する燃料流路３４ｂが形成されている。セル３４ａの空気極側には、酸化剤ガスである空気（カソードエア）が流通する空気流路３４ｃが形成されている。
【００３０】
燃料電池３４は、燃料電池３４の温度である燃料電池温度を検出する温度センサ３４ｄを備えている。温度センサ３４ｄは、燃料電池３４のセル３４ａの積層方向の中央部分であって上下方向中央部分に設けられている。温度センサ３４ｄは、その検出結果を制御装置１５に送信するようになっている。温度センサ３４ｄは、燃料電池温度を検出する第一温度センサである。
【００３１】
燃料電池３４は、マニホールド３５上に設けられている。マニホールド３５には、改質部３３からの改質ガス（アノードガス）が改質ガス供給管３８を介して供給される。燃料流路３４ｂは、その下端（一端）がマニホールド３５の燃料導出口に接続されており、その燃料導出口から導出される改質ガスが下端から導入され上端から導出されるようになっている。カソードエアブロワ１１ｃ１によって送出されたカソードエアはカソードエア供給管１１ｃを介して供給され、空気流路３４ｃの下端から導入され上端から導出されるようになっている。
【００３２】
燃料電池３４においては、燃料極に供給されたアノードガス（改質燃料である。または後述する直接燃料）と空気極に供給された酸化剤ガス（カソードエア）によって発電が行われる。すなわち、燃料極では、下記化１および化２に示す反応が生じ、空気極では、下記化３に示す反応が生じている。すなわち、空気極で生成した酸化物イオン（Ｏ２−）が電解質を透過し、燃料極で水素と反応することにより電気エネルギーを発生させている。したがって、燃料流路３４ｂおよび空気流路３４ｃからは、発電に使用されなかった改質ガスおよび酸化剤ガス（空気）が導出する。
（化１）
Ｈ２＋Ｏ２−→Ｈ２Ｏ＋２ｅ−
（化２）
ＣＯ＋Ｏ２−→ＣＯ２＋２ｅ−
（化３）
１／２Ｏ２＋２ｅ−→Ｏ２−
【００３３】
そして、発電に使用されなかった改質ガス（アノードオフガス）は、燃料流路３４ｂから燃焼空間３６（燃料電池３４と蒸発部３２（改質部３３）の間に形成された）に導出される。発電に使用されなかった酸化剤ガス（空気：カソードオフガス）は、空気流路３４ｃから燃焼空間３６に導出される。燃焼空間３６にてアノードオフガスはカソードオフガスによって燃焼され、その燃焼ガスによって蒸発部３２および改質部３３が加熱される。さらには、燃料電池モジュール１１内を動作温度に加熱している。その後、燃焼ガスは、ケーシング１２ｂの下部に設けられた排気管１１ｅから燃料電池モジュール１１の外に燃焼排ガスとして排気される。このように、燃焼空間３６が、燃料電池３４からの未使用の改質燃料（改質ガス）を含む可燃性ガス（アノードオフガス）を導入し酸化剤ガスで燃焼して燃焼ガス（水蒸気を含む）を導出する第一燃焼部である。
【００３４】
第一燃焼部３６では、アノードオフガスが燃焼されて火炎３７（燃焼ガス）が発生している。第一燃焼部３６では、アノードオフガスが燃焼されてその燃焼ガスが発生している。第一燃焼部３６には、アノードオフガスを点火させるための一対の点火ヒータ３６ａ１，３６ａ２が設けられている。点火ヒータ３６ａ１，３６ａ２は、制御装置１５からの指令により、通電されることにより第一燃焼部３６を点火する第一点火装置である。
【００３５】
制御装置１５は、燃料電池システム１の運転を統括して制御する。制御装置１５は、カソードブロワ１１ｃ１および原料ポンプ１１ａ１を少なくとも制御する。制御装置１５は、マイクロコンピュータ（図示省略）を有している。マイクロコンピュータは、バスを介してそれぞれ接続された入出力インターフェース、ＣＰＵ、ＲＡＭおよびＲＯＭ（いずれも図示省略）を備えている。ＣＰＵは、燃料電池システム１の統括運転を実施している。ＲＡＭは制御プログラムの実行に必要な変数を一時的に記憶するものであり、ＲＯＭは制御プログラムを記憶するものである。
【００３６】
次に、上述した燃料電池システムの作動について説明する。制御装置１５は、図示しない起動スイッチがオンされると（あるいはユーザによって予め設定された起動開始時刻となったことにより自動的に起動が開始されると）、図３に示すフローチャートに対応するプログラムの実行を開始する。
なお、燃料電池システムは、通常の発電運転中である。
【００３７】
制御装置１５は、ステップＳ１０２において、燃料電池３４の温度である燃料電池温度および第二燃焼部３９の温度である第二燃焼部温度から、全体的または部分的に吹き消えている第一燃焼部３６の燃焼復帰を行う燃焼復帰制御が必要であるか否かを判定する（判定部）。制御装置１５は、図４に示すように、それぞれ検出された燃料電池温度と第二燃焼部温度との組合せに基づいて燃焼復帰制御が必要であるか否かを判定する。
【００３８】
具体的には、制御装置１５は、温度センサ３４ｄ（第一温度センサ）によって検出された燃料電池温度が燃料電池温度用判定温度ＴＨ１ａ未満である否かにかかわらず、温度センサ１２ｄによって検出された第二燃焼部温度が第二燃焼部温度用第一判定温度ＴＨ２ａ以上である場合に、燃焼復帰制御が必要である旨の判定をする。なお、第二燃焼部温度用第一判定温度ＴＨ２ａは、第一燃焼部３６が正常に燃焼していない（特に第一燃焼部３６が全体的に吹き消えである）場合に、第一燃焼部３６で未燃焼の可燃性ガスが比較的に大量に燃焼触媒３９に供給されて燃焼されるときに発生する比較的高い温度に設定されるのが好ましい。
このように、第二燃焼部温度が第二燃焼部温度用第一判定温度ＴＨ２ａ以上である場合に、第一燃焼部３６の燃焼状態は、全体的に吹き消え状態である。
【００３９】
また、制御装置１５は、検出された第二燃焼部温度が第二燃焼部温度用第一判定温度ＴＨ２ａ未満であり、かつ、検出された燃料電池温度が燃料電池温度用判定温度ＴＨ１ａ以上である場合に、燃焼復帰制御が必要でない（不要である）旨の判定をする。燃料電池温度が燃料電池温度用判定温度ＴＨ１ａ以上である場合には、第一燃焼部３６は正常に燃焼している。このとき、第二燃焼部温度が第二燃焼部温度用第一判定温度ＴＨ２ａ未満であるのは、第一燃焼部３６にて可燃性ガスがほぼ完全に燃焼され発生する未燃焼の可燃性ガスは比較的に少量であり、燃焼触媒３９に供給される未燃焼の可燃性ガスは比較的少量となり、燃焼触媒３９の燃焼温度は比較的低い温度となるからである。
【００４０】
また、制御装置１５は、検出された第二燃焼部温度が第二燃焼部温度用第二判定温度ＴＨ２ｂ以上かつ第二燃焼部温度用第一判定温度ＴＨ２ａ未満であり、かつ、検出された燃料電池温度が燃料電池温度用判定温度ＴＨ１ａ未満である場合に、燃焼復帰制御が必要である旨の判定をする。
なお、第二燃焼部温度用第二判定温度ＴＨ２ｂは、第二燃焼部温度用第一判定温度ＴＨ２ａより低い値である。第二燃焼部温度用第二判定温度ＴＨ２ｂは、燃料電池温度が燃料電池温度用判定温度ＴＨ１ａ未満である場合に、第一燃焼部３６が部分的に吹き消え状態であるか否かを判定する温度に設定されるのが好ましい。
このように、燃料電池温度が燃料電池温度用判定温度ＴＨ１ａ未満であり、かつ、第二燃焼部温度が第二燃焼部温度用第二判定温度ＴＨ２ｂ以上かつ第二燃焼部温度用第一判定温度ＴＨ２ａ未満である場合に、第一燃焼部３６の燃焼状態は、部分的に吹き消え状態である。
【００４１】
また、制御装置１５は、検出された第二燃焼部温度が第二燃焼部温度用第二判定温度ＴＨ２ｂ未満であり、検出された燃料電池温度が燃料電池温度用判定温度ＴＨ１ａ未満である場合にも、燃焼復帰制御が必要でない旨の判定をする。このとき、第一燃焼部３６および燃焼触媒３９は、供給される可燃性ガスがリーン状態であり、供給される可燃性ガスが少ない状態である。
【００４２】
なお、第二燃焼部温度用第一判定温度ＴＨ２ａおよび第二燃焼部温度用第二判定温度ＴＨ２ｂは、燃料電池システム１の環境温度に応じて補正されるのが好ましい。具体的には、第二燃焼部温度用第一判定温度ＴＨ２ａおよび第二燃焼部温度用第二判定温度ＴＨ２ｂは、図５に示すように、環境温度が高くなるほど高い温度に設定されている。
【００４３】
また、第二燃焼部温度用第一判定温度ＴＨ２ａおよび第二燃焼部温度用第二判定温度ＴＨ２ｂは、燃焼復帰制御が必要である旨を判定した時点の燃料電池３４の出力電力量に応じて補正されるのが好ましい。具体的には、第二燃焼部温度用第一判定温度ＴＨ２ａおよび第二燃焼部温度用第二判定温度ＴＨ２ｂは、図６に示すように、燃料電池３４の出力電力量が大きくなるほど高い温度に設定されている。なお、第二燃焼部温度用第一判定温度ＴＨ２ａおよび第二燃焼部温度用第二判定温度ＴＨ２ｂは、燃焼復帰制御が必要である旨を判定した時点の燃料電池３４への燃料（改質用原料）の供給量（投入量）に応じて補正されるようにしてもよい。具体的には、第二燃焼部温度用第一判定温度ＴＨ２ａおよび第二燃焼部温度用第二判定温度ＴＨ２ｂは、図６に示すように、改質用原料の投入量が多くなるほど高い温度に設定されている。
【００４４】
制御装置１５は、ステップＳ１０２にて燃焼復帰制御が必要でないと判定した場合（「ＮＯ」と判定した場合）に、ステップＳ１０２の処理を繰り返し実行する。制御装置１５は、ステップＳ１０２にて燃焼復帰制御が必要であると判定した場合（「ＹＥＳ」と判定した場合）に、プログラムをステップＳ１０４以降に進め、燃焼復帰制御を行う。
【００４５】
制御装置１５は、ステップＳ１０４において、原料ポンプ１１ａ１を制御して改質用原料（原燃料）の供給量を増大させる（原燃料増大制御部）。具体的には、制御装置１５は、燃焼復帰制御が必要であると判定した時点の改質用原料の供給量に対して、改質用原料の供給量を増大させる。供給量は、単位時間あたりの供給量（投入量、送出量）である。例えば、増大量は、吹き消え度合いに応じて変更するのが好ましい。具体的には、温度センサ１２ｄによって検出された第二燃焼部温度ＴＨ２に応じて、増大量を変更する。第二燃焼部温度ＴＨ２が第二燃焼部温度用第二判定温度ＴＨ２ｂ以上である場合に、第二燃焼部温度ＴＨ２が高いほど増大量を大きくする。例えば、第二燃焼部温度ＴＨ２が第二燃焼部温度用第二判定温度ＴＨ２ｂ以上であり、第二燃焼部温度用第一判定温度ＴＨ２ａ未満である場合に、供給量を１０％増大し、第二燃焼部温度ＴＨ２が第二燃焼部温度用第一判定温度ＴＨ２ａ以上である場合に、供給量を２５％増大する。
【００４６】
制御装置１５は、ステップＳ１０６において、上述したステップＳ１０２と同様に、燃焼復帰制御が必要であるか否かを判定する。制御装置１５は、ステップＳ１０６にて燃焼復帰制御が必要でないと判定した場合（「ＮＯ」と判定した場合）に、プログラムをステップＳ１０２に戻す。制御装置１５は、ステップＳ１０６にて燃焼復帰制御が必要であると判定した場合（「ＹＥＳ」と判定した場合）に、プログラムをステップＳ１０８以降に進め、燃焼復帰制御をさらに行う。
【００４７】
制御装置１５は、ステップＳ１０８において、原燃料増大制御部による改質用原料（原燃料）の供給量の増大によっても、第一燃焼部３６が燃焼復帰しない場合に、原燃料増大制御部と同様な改質用原料の供給量の増大に加えて、点火ヒータ３６ａ１，３６ａ２を通電して作動させる（点火装置第一作動部）。制御装置１５は、この状態を所定時間（例えば５分間）継続する。
【００４８】
制御装置１５は、ステップＳ１１０において、改質用原料の供給量を増大直前の供給量に戻す。そして、制御装置１５は、ステップＳ１１２において、上述したステップＳ１０２と同様に、燃焼復帰制御が必要であるか否かを判定する。制御装置１５は、ステップＳ１１２にて燃焼復帰制御が必要でないと判定した場合（「ＮＯ」と判定した場合）に、プログラムをステップＳ１１３を介してステップＳ１０２に戻す。制御装置１５は、ステップＳ１１３において、点火ヒータ３６ａ１，３６ａ２を非通電して作動を停止させる。
【００４９】
制御装置１５は、ステップＳ１１２にて燃焼復帰制御が必要であると判定した場合（「ＹＥＳ」と判定した場合）に、プログラムをステップＳ１１４に進め、燃焼復帰制御をさらに行う。制御装置１５は、ステップＳ１１４において、点火装置第一作動部による改質用原料の供給量の増大および点火ヒータ３６ａ１，３６ａ２の点火によっても、第一燃焼部３６が燃焼復帰しない場合に、カソードエアブロワ１１ｃ１を制御して第一燃焼部３６へのカソードエア（酸化剤ガス）の供給量を増大させる（酸化剤ガス増大制御部）。このとき、改質用原料の供給量は、ステップＳ１０２にて燃焼復帰制御が必要であると判定した時点の供給量と同一である。
【００５０】
具体的には、制御装置１５は、ステップＳ１１２にて燃焼復帰制御が必要であると判定した時点のカソードエアの供給量に対して、カソードエアの供給量を増大させる。供給量は、単位時間あたりの供給量（投入量、送出量）である。例えば、増大量は、吹き消え度合いに応じて変更するのが好ましい。具体的には、温度センサ１２ｄによって検出された第二燃焼部温度ＴＨ２に応じて、増大量を変更する。第二燃焼部温度ＴＨ２が第二燃焼部温度用第二判定温度ＴＨ２ｂ以上である場合に、第二燃焼部温度ＴＨ２が高いほど増大量を大きくする。例えば、第二燃焼部温度ＴＨ２が第二燃焼部温度用第二判定温度ＴＨ２ｂ以上であり、第二燃焼部温度用第一判定温度ＴＨ２ａ未満である場合に、供給量を１５％増大し、第二燃焼部温度ＴＨ２が第二燃焼部温度用第一判定温度ＴＨ２ａ以上である場合に、供給量を３０％増大する。
【００５１】
制御装置１５は、ステップＳ１１６において、上述したステップＳ１０２と同様に、燃焼復帰制御が必要であるか否かを判定する。制御装置１５は、ステップＳ１１６にて燃焼復帰制御が必要でないと判定した場合（「ＮＯ」と判定した場合）に、プログラムをステップＳ１１３を介してステップＳ１０２に戻す。
【００５２】
制御装置１５は、ステップＳ１１６にて燃焼復帰制御が必要であると判定した場合（「ＹＥＳ」と判定した場合）に、プログラムをステップＳ１１８以降に進め、燃焼復帰制御をさらに行う。
制御装置１５は、ステップＳ１１８において、酸化剤ガス増大制御部によるカソードエア（酸化剤ガス）の供給量の増大によっても、第一燃焼部３６が燃焼復帰しない場合に、酸化剤ガス増大制御部と同様なカソードエアの供給量の増大に加えて、点火ヒータ３６ａ１，３６ａ２を通電して作動させる（点火装置第二作動部）。制御装置１５は、この状態を所定時間（例えば５分間）継続する。
【００５３】
制御装置１５は、ステップＳ１２０において、カソードエアの供給量を増大直前の供給量に戻す。そして、制御装置１５は、ステップＳ１２２において、上述したステップＳ１０２と同様に、燃焼復帰制御が必要であるか否かを判定する。制御装置１５は、ステップＳ１２２にて燃焼復帰制御が必要でないと判定した場合（「ＮＯ」と判定した場合）に、プログラムをステップＳ１１３を介してステップＳ１０２に戻す。制御装置１５は、ステップＳ１１３において、点火ヒータ３６ａ１，３６ａ２を非通電して作動を停止させる。
【００５４】
制御装置１５は、ステップＳ１２２にて燃焼復帰制御が必要であると判定した場合（「ＹＥＳ」と判定した場合）に、プログラムをステップＳ１２４に進め、燃焼復帰制御をさらに行う。制御装置１５は、ステップＳ１２４において、点火装置第二作動部による酸化剤ガスの供給量の増大および点火ヒータ３６ａ１，３６ａ２の点火によっても、第一燃焼部３６が燃焼復帰しない場合に、原料ポンプ１１ａ１、カソードエアブロワ１１ｃ１およびインバータ装置１３を制御して、燃料電池３４の出力電力を変更する（出力電力変更部）。
【００５５】
具体的には、制御装置１５は、インバータ装置１３を制御して燃料電池３４からの掃引電流を減少させる。また、制御装置１５は、インバータ装置１３の制御と合わせて原料ポンプ１１ａ１の供給量を減少させてもよい。さらに、制御装置１５は、カソードエアブロワ１１ｃ１の供給量を減少させてもよい。
【００５６】
なお、出力電力変更部は、出力電力を所定量だけ変更するのが好ましい。このとき、制御装置１５は、原料ポンプ１１ａ１の供給量を変更される出力電力の所定量に相当する供給量だけ変更させればよい。また、制御装置１５は、同様にカソードエアブロワ１１ｃ１の供給量を変更させればよい。
【００５７】
具体的には、制御装置１５は、燃焼復帰制御が必要であると判定した時点の燃料電池３４の出力電力量に応じて所定量を設定する。例えば、制御装置１７は、図７のタイプＡで示すように、燃焼復帰制御が必要であると判定した時点の燃料電池３４の出力電力量が、第一範囲（例えば５００Ｗ以上最大出力量（例えば７００Ｗ）以下の範囲）内である場合には、第二範囲の下限値（例えば３００Ｗ）となるように所定値が設定される。さらに、この変更後であっても燃焼復帰制御が必要であると判定された場合には、制御装置１７は、さらに、前述の燃焼復帰制御が必要であると判定した時点の燃料電池３４の出力電力量が、第二範囲（例えば３００Ｗ以上５００Ｗ以下の範囲）内である場合には、第三範囲の下限値（例えば５０Ｗ）となるように所定値が設定される。なお、第二範囲の上限値および下限値は、燃料電池３４の出力を下げすぎるとユーザの経済性が悪くならない程度の出力値に設定されている。
【００５８】
また、制御装置１５は、図７のタイプＢで示すように、燃焼復帰制御が必要であると判定した時点の燃料電池３４の出力電力量が、第二範囲（例えば３００Ｗ以上５００Ｗ以下の範囲）内である場合には、第三範囲の下限値（例えば５０Ｗ）となるように所定値が設定される。また、制御装置１７は、図７のタイプＣで示すように、燃焼復帰制御が必要であると判定した時点の燃料電池３４の出力電力量が、第三範囲（例えば５０Ｗ以上３００Ｗ以下の範囲）内である場合には、第三範囲の下限値（例えば５０Ｗ）となるように所定値が設定される。
【００５９】
なお、制御装置１５は、所定量を一定値（例えば２００Ｗ）に固定してもよい。この一定値は、出力電力量を変更した場合に、第一燃焼部３６の空燃比が比較的大きく変更され、それによって燃焼状態が吹き消え状態から正常状態に変更可能な値であることが好ましい。
【００６０】
制御装置１５は、ステップＳ１２６において、上述したステップＳ１０２と同様に、燃焼復帰制御が必要であるか否かを判定する。制御装置１５は、ステップＳ１２６にて燃焼復帰制御が必要でないと判定した場合（「ＮＯ」と判定した場合）に、プログラムをステップＳ１１３を介してステップＳ１０２に戻す。なお、原料ポンプ１１ａ１、カソードエアブロワ１１ｃ１およびインバータ装置１３は、燃料電池３４の出力変更前の状態に戻すのが好ましい。
【００６１】
制御装置１５は、ステップＳ１２６にて燃焼復帰制御が必要であると判定した場合（「ＹＥＳ」と判定した場合）に、プログラムをステップＳ１２８に進め、燃焼復帰制御をさらに行う。制御装置１５は、原料ポンプ１１ａ１、カソードエアブロワ１１ｃ１およびインバータ装置１３を制御して、燃料電池３４の出力電力を変更する（出力電力変更部）。
【００６２】
具体的には、制御装置１５は、インバータ装置１３を制御して燃料電池３４からの掃引電流を増大させる。また、制御装置１５は、インバータ装置１３の制御と合わせて原料ポンプ１１ａ１の供給量を増大させてもよい。さらに、制御装置１５は、カソードエアブロワ１１ｃ１の供給量を増大させてもよい。
【００６３】
制御装置１５は、ステップＳ１３０において、第一燃焼部３６が吹き消えであるか否かを判定する。例えば、制御装置１５は、温度センサ１２ｄによって検出された第二燃焼部温度が第二燃焼部温度用第一判定温度以上である場合、または、温度センサ１２ｄによって検出された第二燃焼部温度が第二燃焼部温度用第一判定温度ＴＨ２ａより低い第二燃焼部温度用第二判定温度ＴＨ２ｂ以上でありかつ第二燃焼部温度用第一判定温度ＴＨ２ａ未満であり、かつ、温度センサ３４ｄによって検出された燃料電池温度が燃料電池温度用判定温度ＴＨ１ａ未満である場合に、第一燃焼部３６が吹き消えであると判定する。
【００６４】
制御装置１５は、ステップＳ１３０にて第一燃焼部３６が吹き消えでないと判定した場合（「ＮＯ」と判定した場合）に、プログラムをステップＳ１１３を介してステップＳ１０２に戻す。なお、原料ポンプ１１ａ１、カソードエアブロワ１１ｃ１およびインバータ装置１３は、燃料電池３４の出力変更前の状態に戻すのが好ましい。
【００６５】
制御装置１５は、ステップＳ１３０にて第一燃焼部３６が吹き消えであると判定した場合（「ＹＥＳ」と判定した場合）に、プログラムをステップＳ１３２に進め、燃料電池システムの運転を停止する。さらに、制御装置１５は、ステップＳ１３４において停止カウントを１だけアップする。さらに、制御装置１５は、カウントアップされた停止カウントが所定値（例えば数回）以上となった場合、ステップＳ１３６にて「ＹＥＳ」と判定し、エラー発報し（ステップＳ１４０）、システムの運転を停止する（ステップＳ１４２）。一方、制御装置１５は、カウントアップされた停止カウントが所定値（例えば数回）未満である場合、ステップＳ１３６にて「ＮＯ」と判定し、燃料電池システムを再起動する（ステップＳ１３８）。
【００６６】
上述した説明から明らかなように、本実施形態に係る燃料電池システム１は、供給源Ｇｓから直接供給される直接燃料、または、供給源Ｇｓから供給される改質用原料が改質され生成された改質燃料と、カソードエア（酸化剤ガス）とにより発電する燃料電池３４と、燃料電池３４からの未使用の各燃料を含む可燃性ガスを導入し酸化剤ガスで燃焼して燃焼ガスを導出する第一燃焼部３６と、第一燃焼部３６から排気される未使用の可燃性ガスを導入し燃焼して導出する第二燃焼部３９と、通電されることにより第一燃焼部３６を点火する点火ヒータ３６ａ１，３６ａ２（第一点火装置）と、直接燃料または改質用原料である原燃料を供給する原料ポンプ１１ａ１（原燃料供給装置）と、燃料電池３４の温度である燃料電池温度を検出する温度センサ３４ｄ（第一温度センサ）と、第二燃焼部３９の温度である第二燃焼部温度を検出する温度センサ１２ｄ（第二温度センサ）と、原料ポンプ１１ａ１を少なくとも制御する制御装置１５と、を備えた燃料電池システムである。制御装置１５は、温度センサ３４ｄによって検出された燃料電池温度および温度センサ１２ｄによって検出された第二燃焼部温度から、全体的または部分的に吹き消えている第一燃焼部３６の燃焼復帰を行う燃焼復帰制御が必要であるか否かを判定する判定部（１５；ステップＳ１０２）と、判定部（１５；ステップＳ１０２）によって燃焼復帰制御が必要であると判定された場合に、原料ポンプ１１ａ１を制御して原燃料の供給量を増大させる原燃料増大制御部（１５；ステップＳ１０４）と、を備えている。
【００６７】
これによれば、判定部（１５；ステップＳ１０２）が、温度センサ３４ｄによって検出された燃料電池温度および温度センサ１２ｄによって検出された第二燃焼部温度から、全体的または部分的に吹き消えている第一燃焼部３６の燃焼復帰を行う燃焼復帰制御が必要であるか否かを判定する。原燃料増大制御部（１５；ステップＳ１０４）が、判定部（１５；ステップＳ１０２）によって燃焼復帰制御が必要であると判定された場合に、原料ポンプ１１ａ１を制御して原燃料の供給量を増大させる。その結果、第一燃焼部３６の燃焼復帰制御が必要であるときに、第一燃焼部３６に原燃料を適切に増大して供給することができ、第一燃焼部３６の燃焼復帰を確実に行うことができる。よって、第一燃焼部３６の燃焼性を高効率にて担保することができる。
【００６８】
また、判定部（１５；ステップＳ１０２）は、温度センサ１２ｄによって検出された第二燃焼部温度が第二燃焼部温度用第一判定温度ＴＨ２ａ以上である場合に、または、温度センサ１２ｄによって検出された第二燃焼部温度が第二燃焼部温度用第一判定温度ＴＨ２ａより低い第二燃焼部温度用第二判定温度ＴＨ２ｂ以上でありかつ第二燃焼部温度用第一判定温度ＴＨ２ａ未満であり、かつ、温度センサ３４ｄによって検出された燃料電池温度が燃料電池温度用判定温度ＴＨ１ａ未満である場合に、燃焼復帰制御が必要である旨の判定をする。
これによれば、第一燃焼部３６の燃焼復帰制御が必要であるか否かを適切に判定することができる。
【００６９】
また、第二燃焼部温度用第一判定温度ＴＨ２ａおよび第二燃焼部温度用第二判定温度ＴＨ２ｂは、燃料電池システム１の環境温度に応じて補正されている。
これによれば、環境温度も考慮して、第一燃焼部３６の燃焼復帰制御が必要であるか否かをより適切に判定することができる。
【００７０】
また、第二燃焼部温度用第一判定温度ＴＨ２ａおよび第二燃焼部温度用第二判定温度ＴＨ２ｂは、燃料電池３４の出力電力量に応じて補正されている。
これによれば、燃料電池３４の出力電力量も考慮して、第一燃焼部３６の燃焼復帰制御が必要であるか否かをより適切に判定することができる。
【００７１】
また、制御装置１５は、原燃料増大制御部による原燃料の供給量の増大によっても、第一燃焼部３６が燃焼復帰しない場合に、原燃料増大制御部による原燃料の供給量の増大に加えて、点火ヒータ３６ａ１，３６ａ２を作動させる点火装置第一作動部（１５；ステップＳ１０８）を、さらに備えている。
これによれば、第一燃焼部３６の燃焼復帰をより確実に行うことができる。よって、第一燃焼部３６の燃焼性を高効率にて担保することができる。
【００７２】
また、燃料電池システム１は、酸化剤ガスを第一燃焼部３６に供給するカソードエアブロワ１１ｃ１（酸化剤ガス供給装置）を、さらに備え、制御装置１５は、点火装置第一作動部による原燃料の供給量の増大および点火ヒータ３６ａ１，３６ａ２の点火によっても、第一燃焼部３６が燃焼復帰しない場合に、カソードエアブロワ１１ｃ１を制御して第一燃焼部３６への酸化剤ガスの供給量を増大させる酸化剤ガス増大制御部（１５；ステップＳ１１４）を、さらに備えている。
これによれば、第一燃焼部３６の燃焼復帰をより確実に行うことができる。よって、第一燃焼部３６の燃焼性を高効率にて担保することができる。
【００７３】
また、制御装置１５は、酸化剤ガス増大制御部による酸化剤ガスの供給量の増大によっても、第一燃焼部３６が燃焼復帰しない場合に、酸化剤ガス増大制御部による酸化剤ガスの供給量の増大に加えて、点火ヒータ３６ａ１，３６ａ２を作動させる点火装置第二作動部（１５；ステップＳ１１８）を、さらに備えている。
これによれば、第一燃焼部３６の燃焼復帰をより確実に行うことができる。よって、第一燃焼部３６の燃焼性を高効率にて担保することができる。
【００７４】
また、燃料電池システム１は、燃料電池３４から出力される直流電力を交流電力に変換するインバータ装置１３を、さらに備え、制御装置１５は、点火装置第二作動部による酸化剤ガスの供給量の増大および点火ヒータ３６ａ１，３６ａ２の点火によっても、第一燃焼部３６が燃焼復帰しない場合に、原料ポンプ１１ａ１、カソードエアブロワ１１ｃ１およびインバータ装置１３を制御して、燃料電池の出力電力を変更する出力電力変更部（１５；ステップＳ１２４，１２８）を、さらに備えている。
これによれば、第一燃焼部３６の燃焼復帰をより確実に行うことができる。よって、第一燃焼部３６の燃焼性を高効率にて担保することができる。
【００７５】
また、出力電力変更部は、出力電力を所定量だけ変更する。
これによれば、第一燃焼部３６の燃焼復帰をより確実に行うことができる。よって、第一燃焼部３６の燃焼性を高効率にて担保することができる。
【符号の説明】
【００７６】
１…燃料電池システム、１１ａ１…原料ポンプ（原燃料供給装置）、１１ｃ１…カソードエアブロワ（酸化剤ガス供給装置）、１２ｄ…温度センサ（第二温度センサ）、１３…インバータ装置、１５…制御装置（判定部、原燃料増大制御部、点火装置第一作動部、酸化剤ガス増大制御部、点火装置第二作動部、出力電力変更部）、３４…燃料電池、３４ｄ…温度センサ（第一温度センサ）、３６…第一燃焼部、３６ａ１，３６ａ２…点火ヒータ（第一点火装置）、３９…第二燃焼部、Ｇｓ…供給源。
【図１】
0006701804.tif 000002
【図２】
0006701804.tif 000003
【図３】
0006701804.tif 000004
【図４】
0006701804.tif 000005
【図５】
0006701804.tif 000006
【図６】
0006701804.tif 000007
【図７】
0006701804.tif 000008